(57)【要約】【課題】高音質のスピーカ装置を提供する。【解決手段】スピーカ装置が、振動板と入力された音声信号を該振動板の振動に変換する磁気回路とをそれぞれ有し、各音声放射面の背面側がリブで接続された第１スピーカユニット及び第２スピーカユニットと、入力された音声信号を第１スピーカユニットに送るための第１音声信号と第２スピーカユニットに送るための第２音声信号とに分岐する分岐手段と、第２音声信号の、所定帯域より高い高音域成分を減衰させるフィルタ手段、及び第１音声信号を遅延させる遅延手段の少なくとも一方を含む調整手段と、を備える。【選択図】図３
2010161606.tif 000002
【特許請求の範囲】
【請求項１】
振動板と入力された音声信号を該振動板の振動に変換する磁気回路とをそれぞれ有し、各音声放射面の背面側がリブで接続された第１スピーカユニット及び第２スピーカユニットと、
入力された音声信号を前記第１スピーカユニットに送るための第１音声信号と前記第２スピーカユニットに送るための第２音声信号とに分岐する分岐手段と、
前記第２音声信号の、所定帯域より高い高音域成分を減衰させるフィルタ手段、及び前記第１音声信号を遅延させる遅延手段の少なくとも一方を含む調整手段と、
を備えるスピーカ装置。
【請求項２】
前記第２音声信号に前記高音域成分の付加音信号を合成する合成手段、
を更に備える請求項１に記載のスピーカ装置。
【請求項３】
前記調整手段は、前記フィルタ手段及び前記遅延手段を含んでおり、前記第２音声信号が通過する経路を前記フィルタ手段を通過する経路と前記フィルタ手段を通過しない経路とのいずれかに切り替える第１切替手段、前記第１音声信号が通過する経路を前記遅延手段を通過する経路と前記遅延手段を通過しない経路とのいずれかに切り替える第２切替手段を更に含み、外部入力に基づいて前記第１切替手段及び前記第２切替手段を制御する、
ことを特徴とする請求項１又は２に記載のスピーカ装置。
【請求項４】
振動板と入力された音声信号を該振動板の振動に変換する磁気回路とをそれぞれ有し、各音声放射面の背面側がリブで接続された第１スピーカユニット及び第２スピーカユニットと、
入力された右チャネル信号及び左チャネル信号の、所定帯域以下の各低音域成分が合成された合成低音域信号を取得する低音域取得手段と、
前記右チャネル信号及び前記左チャネル信号の前記各低音域成分をそれぞれ減衰させた右高音域信号及び左高音域信号を抽出するフィルタ手段と、
前記右高音域信号と前記合成低音域信号とを合成することにより前記第１スピーカユニットに送るための右合成信号を取得し、前記左高音域信号と前記合成低音域信号とを合成することにより前記第２スピーカユニットに送るための左合成信号を取得する信号取得手段と、
を備えるスピーカ装置。
【発明の詳細な説明】
【技術分野】
【０００１】
本発明は、スピーカ装置における音声信号処理技術に関する。
【背景技術】
【０００２】
スピーカ装置は、一般的に、振動板（コーン等）、ボイスコイル、マグネット等を有するスピーカユニットがスピーカボックスの所定面に取り付けられた構造を有する。このようなスピーカ装置では、スピーカユニットの駆動に伴う反作用力が、スピーカボックスを振動させ不要音を発生させる等、音質に悪影響を及ぼす場合がある。
【０００３】
このような問題点を解消するために、例えば、２つのスピーカユニットが、それぞれ背面（音の放射面を正面とした場合の背面）を向き合わせ、各背面のヨークにリブの両端を固定することにより結合された構造を有するスピーカ装置がある（下記特許文献１参照）。この構造によれば、各スピーカユニットのヨークの振動に伴う反作用がリブを介してそれぞれ相殺されるため、スピーカボックスから生ずる不要音を低減させることができる。
【先行技術文献】
【特許文献】
【０００４】
【特許文献１】特開２００１−３５２５９２号公報
【特許文献２】実開平５−６０１００号公報
【発明の概要】
【発明が解決しようとする課題】
【０００５】
しかしながら、上記構造を有する従来のスピーカ装置にステレオ信号を入力した場合、すなわち、左チャネル信号が一方のスピーカユニットに入力され、右チャネル信号がもう一方のスピーカユニットに入力される場合、各スピーカユニットにそれぞれ異なる音声信号が入力されるため、上述のような振動抑圧効果を得ることができない場合がある。
【０００６】
一方で、上記従来のスピーカ装置にモノラル信号を入力した場合であっても、聴取者（リスナ）が一方のスピーカユニットの正面側に位置する場合には、反射波による干渉等により音質が低下する場合がある。
【０００７】
本発明の課題は、このような問題点に鑑み、高音質のスピーカ装置を提供することにある。
【課題を解決するための手段】
【０００８】
本発明の各態様は、上述した課題を解決するために、それぞれ以下の構成を採用する。
【０００９】
第１の態様は、振動板と入力された音声信号を該振動板の振動に変換する磁気回路とをそれぞれ有し、各音声放射面の背面側がリブで接続された第１スピーカユニット及び第２スピーカユニットと、入力された音声信号を第１スピーカユニットに送るための第１音声信号と第２スピーカユニットに送るための第２音声信号とに分岐する分岐手段と、第２音声信号の、所定帯域より高い高音域成分を減衰させるフィルタ手段、及び第１音声信号を遅延させる遅延手段の少なくとも一方を含む調整手段と、を備えるスピーカ装置である。
【００１０】
第１態様では、第２スピーカユニットに、入力された音声信号の高音域成分が減衰されて得られる低音域成分が送られ、第１スピーカユニットに、当該音声信号がそのまま送られる場合（第１ケース）、第１スピーカユニットに、当該音声信号が遅延された状態で送
られ、第２スピーカユニットに、当該音声信号がそのまま送られる場合（第２ケース）、第１スピーカユニットに、当該音声信号が遅延された状態で送られ、第２スピーカユニットに、当該音声信号の高音域成分が減衰されて送られる場合（第３ケース）がある。
【００１１】
第１ケースによれば第２スピーカユニットには高音域成分が減衰された音声信号が送られるため、第２ケースによれば第１スピーカユニットには遅延された音声信号が送られるため、それぞれ、第１スピーカユニットから放射された音声が第２スピーカユニットから放射された音声から受ける干渉を低減することができる。第３ケースによれば、第２スピーカユニットには高音域成分が減衰された音声信号が送られるため、第１ケース及び第２ケースと同様に干渉を低減することができる。
【００１２】
ここで、フィルタ手段で所定の帯域を減衰させる際にその信号が遅延する場合がある。第３ケースでは、このような場合に対応し、遅延された音声信号が第１スピーカユニットに送られるため、第１スピーカユニット及び第２スピーカユニットに入力される各低音域成分は同位相となる。この同位相の意味は、完全に一致する場合のみでなく、多少のずれを含む。本スピーカ装置が有する第１スピーカユニット及び第２スピーカユニットが背中合わせにリブで固定される構造において、リブで音声出力の際に両ユニットから生じる振動を相殺できる程度の位相ずれが許容される。よって、第３ケースによれば、振動板の振動に伴う雑音の低減も併せて実現することができる。
【００１３】
このように、第１態様におけるスピーカ装置によれば、高音質出力を可能とする。
【００１４】
第２の態様は、振動板と入力された音声信号を該振動板の振動に変換する磁気回路とをそれぞれ有し、各音声放射面の背面側がリブで接続された第１スピーカユニット及び第２スピーカユニットと、入力される右チャネル信号及び左チャネル信号の、所定帯域以下の各低音域成分が合成された合成低音域信号を取得する低音域取得手段と、右チャネル信号及び左チャネル信号の各低音域成分をそれぞれ減衰させた右高音域信号及び左高音域信号を抽出するフィルタ手段と、右高音域信号と合成低音域信号とを合成することにより第１スピーカユニットに送るための右合成信号を取得し、左高音域信号と合成低音域信号とを合成することにより第２スピーカユニットに送るための左合成信号を取得する信号取得手段と、を備えるスピーカ装置である。
【００１５】
第２態様では、ステレオ信号の右チャネル信号及び左チャネル信号がそれぞれ入力され、各信号のうち振動に影響する低音域成分についてはスピーカユニット２０及び３０にそれぞれ同音、同位相の信号が送られる。一方、高音域成分については、左チャネル信号及び右チャネル信号がそれぞれスピーカユニット２０及び３０に送られる。
【００１６】
従って、第２態様によれば、上述のようなスピーカ構造において、ステレオ音声信号が入力された場合であっても、振動に伴う反作用を相殺させることができ、この振動に伴う雑音を低減させることができと共に、高音域成分についてはステレオ効果をユーザに提供することができる。
【００１７】
なお、本発明の別態様としては、以上の何れかの構成を実現するプログラムであってもよいし、このようなプログラムを記録したコンピュータが読み取り可能な記憶媒体であってもよい。
【発明の効果】
【００１８】
上記各態様によれば、高音質のスピーカ装置を提供することができる。
【図面の簡単な説明】
【００１９】
【図１】実施例１のスピーカ装置の構造を示す上面模式図。
【図２】実施例１における信号処理回路６０の構成を示す図。
【図３】実施例２のスピーカ装置の構造を示す上面模式図。
【図４】実施例２における信号処理回路６０の構成を示す図。
【図５】実施例２の変形例１としての信号処理回路６０の構成を示す図。
【図６】実施例２の変形例２としての信号処理回路６０の構成を示す図。
【図７】実施例２の変形例３としての信号処理回路６０の構成を示す図。
【図８】実施例２の変形例４における信号処理回路６０の構成を示す図。
【発明を実施するための形態】
【００２０】
以下、実施形態としてのスピーカ装置について具体例を挙げ説明する。以下に挙げた各実施例はそれぞれ例示であり、本開示は以下の各実施例の構成に限定されない。
【実施例１】
【００２１】
以下、実施形態としてのスピーカ装置の実施例１について説明する。
【００２２】
図１は、実施例１のスピーカ装置の構造を示す上面模式図である。実施例１のスピーカ装置５は、中空筒状のスピーカボックス１０と、スピーカボックス１０の正面開口部に取り付けられたスピーカユニット２０と、スピーカボックス１０の背面開口部に取り付けられたスピーカユニット３０とを含む。スピーカユニット２０は、振動板２１、振動板２１の外周を固定するフレーム２２、振動板２１を振動させるためのボイスコイル２３、磁気回路２４等を有する。振動板２１は、例えばコーン紙で構成される。磁気回路２４は、プレート２５、マグネット２６及びヨーク２７等から構成される。スピーカユニット３０は、スピーカユニット２０と同様の構成を有する。すなわち、スピーカユニット３０は、振動板３１、振動板３１の外周を固定するフレーム３２、振動板３１を振動させるためのボイスコイル３３、磁気回路３４等を有する。磁気回路３４は、プレート３５、マグネット３６及びヨーク３７等から構成される。なお、スピーカユニット２０及び３０は、全く同一の構成及び形状であることが望ましいが、これに限定されるものではない。
【００２３】
スピーカユニット２０及び３０は、振動板２１が正面方向を向き、振動板３１が背面方向を向くように、ヨーク２７及び３７に接続されたリブ５０で連結され固定されている。リブ５０は、円柱状の金属等で形成され、スピーカユニット２０のヨーク２７及びスピーカユニット３０のヨーク３７のそれぞれ対照的な同じ位置に固定されるのが望ましい。なお、図１の例では、リブ５０は、ヨーク２７及び３７に接続されているが、磁気回路２４及び３４に接続されていてもよく、振動板２１及び３１の振動が伝達される部位に接続されていればよい。リブ５０は、その断面積が長手方向に一定とならないように形成されることが望ましい。例えば、リブ５０は、中央部分の断面積が最も大きく両端に向けてその断面積が徐々に小さくなるような樽状に形成されることが望ましい。これにより、リブ５０自身の共振が防止される。
【００２４】
フレーム２２及び３２の外周部裏側には、ガイド部２９及び３９が設けられており、スピーカボックス１０の開口端部が、緩衝材４２を介して係合、位置決めすることができるように構成されている。緩衝材４２は、スピーカユニット２０及び３０とスピーカボックス１０との間に配置されてスピーカボックス１０内の気密性を維持するとともに、スピーカユニット２０及び３０がスピーカボックス１０に対して固定されずにフローティング状態となるように作用する。これにより、スピーカユニット２０及び３０の振動がスピーカボックス１０に伝達され難くなる。緩衝材４２は、気密性を維持し且つスピーカユニット２０及び３０の振動を吸収可能な材質で形成される。具体的には、緩衝材４２は、スピーカユニット２０及び３０における再生帯域について６ｄＢ（デシベル）以上その信号を減衰させ得る材質で形成されることが望ましい。緩衝材４２は、例えばＰＥＦ（ペフ）材料
で形成される。
【００２５】
フレーム２２及び３２には、端子２８及び３８が設けられる。オーディオ信号等の音声信号はこの端子２８及び３８を介してそれぞれスピーカユニット２０及び３０に供給されると、ボイスコイル２３及び３３にそれぞれ電流が流れ、振動板２１及び３１が振動することにより音声が放射される。従って、スピーカ装置５の正面及び背面がそれぞれ音声放射面となり、スピーカ装置５からは正面及び背面から逆方向に音声が放射される。
【００２６】
一方で、振動板２１及び３１が振動すると、この振動に伴う反作用が磁気回路２４及び３４に影響し磁気回路２４及び３４を振動させる。実施例１では、スピーカユニット２０及び３０が背中合わせに連結されているため、スピーカユニット２０で生じた反作用とスピーカユニット３０で生じた反作用とは相互に逆向きの同じ大きさの力となる。そこで、スピーカユニット２０及び３０のそれぞれに同一の音声信号が同位相で入力された場合には、スピーカユニット２０及び３０で生じる各反作用はリブ５０を介して相殺されるため、振動により生ずる不要音を低減させることができる。更に、スピーカ装置５は、上述したように緩衝材４２を用いることによりスピーカユニット２０及び３０の振動がスピーカボックス１０に伝達され難くい構造を持っているため、振動に伴う音鳴りを一層少なくすることが可能となっている。
【００２７】
このような振動に伴う雑音は、各スピーカユニット２０及び３０に入力される音声信号の周波数に影響される。低音域の音声信号、すなわち低い周波数の信号ほど、影響力が大きい。この雑音に影響する周波数は、スピーカ装置５の構造、材質等によるが、例えば、百数十ヘルツ（Ｈｚ）以下である。
【００２８】
実施例１におけるスピーカ装置５は、スピーカボックス１０に入力端子４０及び４１を備え、入力端子４０及び４１からステレオ音声信号の左チャネル信号及び右チャネル信号がそれぞれ受ける。一般的には、左チャネル信号がスピーカユニット２０の端子２８に与えられ、右チャネル信号がスピーカユニット３０の端子３８に与えられることにより、各スピーカユニット２０及び３０からそれぞれ異なる音が出力されることにより、ユーザにステレオ効果を提供することができる。
【００２９】
しかしながら、スピーカユニット２０及び３０にそれぞれ異なる音声信号が入力された場合には、上述したような振動反作用の相殺は難しくなる。よって、各スピーカユニット２０及び３０で生じた振動は、緩衝材４２により軽減されるものの、スピーカボックス１０にそれぞれ伝達され雑音が生じる可能性がある。
【００３０】
従って、実施例１におけるスピーカ装置５は、入力端子４０及び４１に与えられた各音声信号を処理する信号処理回路６０を備え、上記振動に伴う雑音が低減されるようにこの信号処理回路６０に各音声信号を処理させる。図２は、実施例１における信号処理回路６０の構成を示す図である。信号処理回路６０は、ミキサ６１、６６及び６７、ハイパスフィルタ６３及び６４、ローパスフィルタ６８等を有する。信号処理回路６０の各部位は、ソフトウェアの構成要素又はハードウェアの構成要素、若しくはこれらの組み合わせとしてそれぞれ実現される（［その他］の項参照）。
【００３１】
ミキサ６１は、入力端子４０から入力された左チャネル信号と入力端子４１から入力された右チャネル信号とを合成する。ミキサ６１により合成された信号は、ローパスフィルタ６８に送られる。
【００３２】
ローパスフィルタ６８は、ミキサ６１により合成された信号を受け、この合成信号の所定帯域以上の周波数成分を減衰させ、所定帯域よりも低い周波数成分を通過させる。ロー
パスフィルタ６８を通過した低音域信号は、ミキサ６６及び６７にそれぞれ送られる。ローパスフィルタ６８で取り除かれる周波数成分は、所定帯域以上の高音域成分であり、上述したような雑音に影響する低音域成分以外である。ローパスフィルタ６８には、上記所定帯域として例えば百数十ヘルツ（Ｈｚ）が設定される。
【００３３】
ハイパスフィルタ６３は、入力端子４０から入力された左チャネル信号を受け、この左チャネル信号の所定帯域以下の周波数成分を減衰させ、所定帯域よりも高い周波数成分を通過させる。ハイパスフィルタ６３を通過した左チャネル高音域信号は、ミキサ６６に送られる。ハイパスフィルタ６４は、入力端子４１から入力された右チャネル信号を受け、この右チャネル信号の所定帯域以下の周波数成分を減衰させ、所定帯域よりも高い周波数成分を通過させる。ハイパスフィルタ６４を通過した右チャネル高音域信号は、ミキサ６７に送られる。ハイパスフィルタ６３及び６４で取り除かれる周波数成分は、上述したような雑音に影響する低音域成分である。よって、ハイパスフィルタ６３及び６４には、上記所定帯域として例えば百数十ヘルツ（Ｈｚ）が設定される。
【００３４】
ミキサ６６は、ハイパスフィルタ６３を通過した左チャネル高音域信号と、ローパスフィルタ６８を通過した低音域信号と、を合成させる。ミキサ６６により合成された信号は、端子２８に送られる。ミキサ６７は、ハイパスフィルタ６４を通過した右チャネル高音域信号と、ローパスフィルタ６８を通過した低音域信号と、を合成させる。ミキサ６７により合成された信号は、端子３８に送られる。よって、端子２８に送られる音声信号の低音域成分と端子３８に送られる音声信号の低音域成分とは基本的には同音、同位相となる。一方で、各音声信号の高音域成分は、左チャネル信号及び右チャネル信号となる。
【００３５】
〔実施例１の作用及び効果〕
実施例１のスピーカ装置５は、スピーカユニット２０及び３０が音声放射面を正面として背中合わせにリブ５０で連結されている。これにより、スピーカユニット２０及び３０が駆動されることにより生ずる、各振動板２１及び３１の振動に伴う反作用が、リブ５０を介して相殺される構造となっている。
【００３６】
実施例１では、ステレオ音声信号の左チャネル信号及び右チャネル信号が入力されると、各信号は信号処理回路６０に入力される。信号処理回路６０は、振動に影響する低音域成分については、左チャネル信号及び右チャネル信号をミキサ６１で合成させ、この合成信号をローパスフィルタ６８を通過させることで取得し、振動への影響が少ない高音域成分については、左チャネル信号及び右チャネル信号をそれぞれハイパスフィルタ６３及び６４を通過させることで取得する。信号処理回路６０は、このように取得された低音域成分及び高音域成分をミキサ６６及び６７で合成させて得られる信号をスピーカユニット２０及び３０にそれぞれ送る。
【００３７】
従って、実施例１では、上述のような構造を有するスピーカ装置５にステレオ音声信号を入力させた場合であっても、振動に影響する低音域成分についてはスピーカユニット２０及び３０にそれぞれ同音、同位相の信号が送られるため、当該振動に伴う反作用を相殺させることができ、この振動に伴う雑音を低減させることができる。一方で、高音域成分については、左チャネル信号及び右チャネル信号がそれぞれスピーカユニット２０及び３０に送られるため、高音域成分のステレオ効果をユーザに提供することができるこのように、実施例１のスピーカ装置５は、高音質を実現することができる。
【００３８】
なお、実施例１の信号処理回路６０を除く他のスピーカ構造はこれに限定されるものではなく、スピーカユニット２０及び３０がそれぞれ背中合わせに配置され、相互にリブ５０で接続される構造を有していればよい。リスナであるユーザ１は、図１に示すように、実施例１のスピーカ装置５の正面及び背面から同距離となる位置で聴くのが高音域のステ
レオ効果にとって望ましい。
【実施例２】
【００３９】
次に、実施形態としてのスピーカ装置の実施例２について説明する。
【００４０】
図３は、実施例２のスピーカ装置の構造を示す上面模式図である。実施例１のスピーカ装置５は、スピーカボックス１０に入力端子４０及び４１を備え、これら端子にステレオ音声信号の右チャネル信号及び左チャネル信号が与えられた。実施例２のスピーカ装置５は、スピーカボックス１０に入力端子４０を備え、右チャネル信号又は左チャネル信号、若しくはモノラル信号が入力端子４０から入力される。実施例２のスピーカ装置５は、入力端子の数、信号処理回路６０の構成以外、実施例１と同様の構成である。
【００４１】
実施例２のスピーカ装置５は、図３に示されるように、正面方向、すなわちスピーカユニット２０の音放射面方向に、ユーザ１（リスナ）が位置するように設置される。これにより、スピーカ装置５の背面から放射される音、すなわちスピーカユニット３０の振動板３１の振動により生じた音は、直接、ユーザ１に届くよりも、反射波としてユーザ１に届く場合が多い。よって、スピーカ装置５の正面から放射された音は、背面から放射された音と干渉する場合がある。なお、このような干渉は、高音域成分による影響が大きい。これは、高音域信号は、低音域信号よりも指向性が強い（狭い）からである。実施例２における信号処理回路６０は、実施例１で説明した振動に伴う雑音を低減させると共に、この干渉も低減させるように、信号処理する。以下、実施例１と異なる信号処理回路６０について説明し、その他、実施例１と同様の部分については説明を省略する。
【００４２】
図４は、実施例２における信号処理回路６０の構成を示す図である。実施例２の信号処理回路６０は、遅延回路７１、ローパスフィルタ７２等を有する。信号処理回路６０の各部位は、ソフトウェアの構成要素又はハードウェアの構成要素、若しくはこれらの組み合わせとしてそれぞれ実現される（［その他］の項参照）。
【００４３】
ローパスフィルタ７２は、入力端子４０から入力され分岐された音声信号を受け、この音声信号の所定帯域以上の周波数成分を減衰させ、所定帯域よりも低い周波数成分を通過させる。ローパスフィルタ７２を通過した低音域信号は、端子３８へ送られる。ローパスフィルタ７２などのようなフィルタは、一般的には遅延特性を有する。すなわち、ローパスフィルタ７２に入力される信号と出力される信号との間には遅れ時間が生ずる。
【００４４】
遅延回路７１は、このローパスフィルタ７２の遅延特性に対応する一定時間、入力信号を遅らせて、その遅延信号を端子２８に送る。これにより、端子２８に入力される音声信号に含まれる低音域成分と端子３８に送られる低音域信号とは基本的には同音、同位相となる。一方、高音域成分については端子２８にのみ送られ、端子３８には入力された音声信号の低音域成分のみが送られる。
【００４５】
〔実施例２の作用及び効果〕
実施例２のスピーカ装置５は、実施例１と同様に、スピーカユニット２０及び３０が駆動されることにより生ずる、各振動板２１及び３１の振動に伴う反作用が、リブ５０を介して相殺される構造となっている。
【００４６】
実施例２では、ステレオ音声信号の左チャネル信号又は右チャネル信号、若しくはモノラル信号が入力端子４０から入力され、信号処理回路６０に送られる。信号処理回路６０は、入力された音声信号から振動に影響する低音域成分のみをローパスフィルタ７２を通過させることで取得しスピーカ装置５の背面に位置するスピーカユニット３０に送る。一方、信号処理回路６０は、入力された音声信号をローパスフィルタ７２における信号遅延
と同様に遅延させ、スピーカ装置５の正面に位置するスピーカユニット２０に送る。
【００４７】
従って、実施例２では、スピーカユニット２０及び３０がそれぞれ背中合わせとなる構造を有し、その一方の音放射面方向にユーザが位置するように設置された場合であっても、干渉に影響する高音域成分についてはスピーカユニット２０にのみ送られるため、背面のスピーカユニット３０から放射される音による干渉を低減させることができる。
【００４８】
更に、実施例２では、振動に影響する低音域成分についてはスピーカユニット２０及び３０にそれぞれ同音、同位相の信号が送られるため、当該振動に伴う反作用を相殺させることができ、この振動に伴う雑音を低減させることができる。
【００４９】
実施例２におけるスピーカ装置５をユーザを介してそれぞれ対向するように複数設置し、各スピーカ装置５にそれぞれステレオ音声信号の左チャネル信号及び右チャネル信号を入力すれば、ユーザにステレオ効果を提供することも可能である。
【００５０】
従って、実施例２のスピーカ装置５によれば、上述のような条件下においても干渉を低減させ振動に伴う雑音も低減させることができるため、高音質を実現することができる。
【００５１】
［実施例２の変形例１］
上述の実施例２では、信号処理回路６０は、遅延回路７１及びローパスフィルタ７２を有し、ローパスフィルタ７２における遅延に合わせて遅延回路７１で信号を遅延させたが、遅延回路７１を省く構成としてもよい。
【００５２】
図５は、実施例２の変形例１としての信号処理回路６０の構成を示す図である。変形例１の信号処理回路６０は、遅延回路７１を含まず、ローパスフィルタ７２を有する。ローパスフィルタ７２の動作は上述の実施例２と同様である。
【００５３】
変形例１では、スピーカ装置５の正面に位置するスピーカユニット２０に設けられた端子２８には、入力端子４０に入力された音声信号がそのまま送られる。一方、スピーカ装置５の背面に位置するスピーカユニット３０に設けられた端子３８には、当該音声信号のうちローパスフィルタ７２を通過させることで取得された振動に影響する低音域成分のみが送られる。
【００５４】
従って、変形例１によれば、上述の実施例２と同様に、干渉に影響する高音域成分についてはスピーカユニット２０にのみ送られるため、背面のスピーカユニット３０から放射される音による干渉を低減させることができる。
【００５５】
また、変形例１のように遅延回路を設けない場合であっても、低音域成分について多少異なる位相の信号がスピーカユニット２０及び３０にそれぞれ入力されたとしても、当該振動に伴う反作用を或る程度は相殺させることができる。従って、変形例１においても、振動に伴う雑音を低減させることも可能である。
【００５６】
変形例１によれば、上述のように高音質を実現しながら、実施例２の構成よりも部品点数を減らすことができるため、低コスト化が可能となる。ローパスフィルタ７２の遅延特性の影響が振動に伴う雑音の増大に大きく寄与しない場合、又、スピーカ装置５の材質、構造等により振動に伴う雑音の影響が大きくない場合等には、特に、変形例１の構成は適している。
【００５７】
［実施例２の変形例２］
上述の実施例２では、信号処理回路６０は、遅延回路７１及びローパスフィルタ７２を
有し、ローパスフィルタ７２における遅延に合わせて遅延回路７１で信号を遅延させたが、ローパスフィルタ７２を省く構成としてもよい。
【００５８】
図６は、実施例２の変形例２としての信号処理回路６０の構成を示す図である。変形例２の信号処理回路６０は、遅延回路７１を有し、ローパスフィルタ７２を含まない。遅延回路７１の動作は上述の実施例２と同様である。
【００５９】
変形例２では、スピーカ装置５の正面に位置するスピーカユニット２０に設けられた端子２８には、入力端子４０に入力された音声信号が所定時間遅延した状態で送られる。一方、スピーカ装置５の背面に位置するスピーカユニット３０に設けられた端子３８には、当該音声信号がそのまま送られる。
【００６０】
これにより、正面のスピーカユニット２０から放射される音は、遅延回路７１により遅延されているため、背面のスピーカユニット３０から放射され反射等されることで遅延してユーザに届く音との干渉が低減される。すなわち、変形例２によれば、上述の実施例２と同様に、背面のスピーカユニット３０から放射される音による干渉を低減させることができる。
【００６１】
但し、端子２８に送られる信号が端子３８に送られる信号よりも遅延回路７１により遅延されているため、振動に影響する低音域成分についてはそれぞれ異なる位相の信号がスピーカユニット２０及び３０にそれぞれ入力される。よって、当該振動に伴う反作用の相殺の効果は低減し、振動に伴う雑音の低減効果も低減する。
【００６２】
しかしながら、変形例２によれば、実施例２の構成よりも部品点数を減らすことができるため、低コスト化が可能となる。スピーカ装置５の材質、構造等により振動に伴う雑音の影響が大きくない場合等には、特に、変形例２の構成は適している。
【００６３】
［実施例２の変形例３］
上述の実施例２、実施例２の変形例１及び変形例２において、スピーカ装置５の背面に位置するスピーカユニット３０に設けられた端子３８に送られる音声信号に効果音を付加するようにしてもよい。
【００６４】
図７は、実施例２の変形例３としての信号処理回路６０の構成を示す図である。変形例３の信号処理回路６０は、実施例２の構成に加えて、更に、効果音信号処理部７５及びミキサ７６を有する。効果音信号処理部７５及びミキサ７６は、ソフトウェアの構成要素又はハードウェアの構成要素、若しくはこれらの組み合わせとしてそれぞれ実現される（［その他］の項参照）。なお、他の部位については、実施例２と同様であるため、ここでは説明を省略する。
【００６５】
効果音信号処理部７５は、入力端子４０から入力された音声信号を受け、既存の効果音アルゴリズムによりこの音声信号を処理することにより、効果音信号を取得する。ここで、効果音とは、残響音や反響音などであり、原音に厚みや奥行きを出す等の効果を付与する音である。効果音アルゴリズムは、例えば、ディレイエコーやリバーブ等で利用される。効果音信号処理部７５から出力される効果音信号は、ミキサ７６に送られる。
【００６６】
ミキサ７６は、ローパスフィルタ７２を通過した低音域信号に当該効果音信号を合成する。この合成された音声信号は、端子３８に送られる。
【００６７】
変形例３では、スピーカ装置５の正面に位置するスピーカユニット２０に設けられた端子２８には、入力端子４０に入力された音声信号が所定時間遅延した状態で送られる。一
方、スピーカ装置５の背面に位置するスピーカユニット３０に設けられた端子３８には、当該音声信号のうちローパスフィルタ７２を通過させることで取得された振動に影響する低音域信号に効果音信号が付加された信号が送られる。
【００６８】
これにより、変形例３によれば、実施例２と同様に、干渉の低減及び振動に伴う雑音の低減を実現することができると共に、更に、効果音を付与させることで音場制御機能を持たせることができる。この効果音は、スピーカ装置５の背面からのみ放射されるため、ユーザには正面から放射される音声から遅れて到達する。よって、一層効果的な残響音等をユーザに提供することができる。
【００６９】
効果音信号は、端子３８にのみ送られるため、スピーカユニット２０及び３０に送られる各信号は同音とはならない。よって、効果音信号処理部７５で生成される効果音信号が振動に影響する低音域成分を含まないようにすることが望ましい。このようにすれば、効果音付与に伴い雑音が増大することを防ぐことができる。
【００７０】
また、図７には、効果音信号処理部７５は信号処理回路６０内に含まれる例を示したが、効果音信号処理部７５をスピーカ装置５の外に配置するようにしてもよい。この場合には、新たな入力端子を設け、この入力端子からその効果音信号が取り込まれるようにすればよい。また、図７の例では、図４に示す実施例２の信号処理回路６０を変形させた例であるが、図５及び６に示す変形例１及び２にも適用可能である。更に、実施例２の信号処理回路６０が、遅延回路７１及びローパスフィルタ７２をそれぞれ除き、効果音信号処理部７５及びミキサ７６のみを備えるようにしてもよい。このようにすれば、効果音に関する効果のみを得ることができる。
【００７１】
［実施例２の変形例４］
上述の実施例２の信号処理回路６０において、遅延回路７１及びローパスフィルタ７２の通過を切り替えるスイッチを設け、上述の実施例２、実施例２の変形例１及び２のいずれかの構成に切り替え可能に構成してもよい。
【００７２】
図８は、実施例２の変形例４における信号処理回路６０の構成を示す図である。変形例４における信号処理回路６０は、実施例２の構成に加えて、遅延回路７１を通らず迂回する信号線と遅延回路７１を通る信号線とを切り替えるスイッチ８１、ローパスフィルタ７２を通らず迂回する信号線とローパスフィルタ７２を通る信号線とを切り替えるスイッチ８２とを更に備える。
【００７３】
変形例４では、スピーカ装置５のスピーカボックス１０の所定箇所にこのスイッチ８１及び８２の動作を制御するインタフェース（例えば、制御つまみ等）を設けるようにしてもよい。このようにすれば、そのスピーカ装置５の設置場所等に応じて、必要な構成に切り替えることができる。また、遅延回路７１の遅延時間、及びローパスフィルタ７２の帯域制限する所定帯域の情報をこのインタフェースに応じて設定変更可能に構成するようにしてもよい。
【００７４】
［その他］
〈ハードウェアの構成要素（Component）及びソフトウェアの構成要素（Component）について〉
ハードウェアの構成要素とは、ハードウェア回路であり、例えば、フィールド・プログラマブル・ゲートアレイ（ＦＰＧＡ）、特定用途向け集積回路（ＡＳＩＣ）、ゲートアレイ、論理ゲートの組み合わせ、信号処理回路、アナログ回路等がある。
【００７５】
ソフトウェアの構成要素とは、ソフトウェアとして上記処理を実現する部品（断片）で
あり、そのソフトウェアを実現する言語、開発環境等を限定する概念ではない。ソフトウェアの構成要素としては、例えば、タスク、プロセス、スレッド、ドライバ、ファームウェア、データベース、テーブル、関数、プロシジャ、サブルーチン、プログラムコードの所定の部分、データ構造、配列、変数、パラメータ等がある。これらソフトウェアの構成要素は、１又は複数のメモリ（１または複数のプロセッサ（例えば、ＣＰＵ（Central Processing Unit）、ＤＳＰ（Digital Signal Processor）等）上で実現される。
【００７６】
なお、上述の各実施形態は、上記各処理部の実現手法を限定するものではない。上記各処理部は、上記ハードウェアの構成要素又はソフトウェアの構成要素若しくはこれらの組み合わせとして、本技術分野の通常の技術者において実現可能な手法により構成されていればよい。
【符号の説明】
【００７７】
５  スピーカ装置
１０  スピーカボックス
２０、３０  スピーカユニット
２１、３１  振動板
２２、３２  フレーム
２４、３４  磁気回路
２５、３５  プレート
２６、３６  マグネット
２７、３７  ヨーク
２８、３８  端子
４０、４１  入力端子
４２  緩衝材
５０  リブ
６０  信号処理回路
６１、６６、６７、７６  ミキサ
６３、６４  ハイパスフィルタ
６８、７２  ローパスフィルタ
７１  遅延回路
７５  効果音信号処理部
８１、８２  スイッチ
【図１】
2010161606.tif 000003
【図２】
2010161606.tif 000004
【図３】
2010161606.tif 000005
【図４】
2010161606.tif 000006
【図５】
2010161606.tif 000007
【図６】
2010161606.tif 000008
【図７】
2010161606.tif 000009
【図８】
2010161606.tif 000010